(57)【特許請求の範囲】
【請求項１】
スノーボードのボードと、このボードの上面に架承され、かつビンディング取付け用の複数の孔を、前後側に備えたビンディング取付け用プレートと、このプレートの長手方向の前後側に設けたビンディングと、で構成したスノーボードであって、
前記プレートの一方を、前記ボードに枢支するとともに、その他方を、前記ボードに移動可能に支持する構造とすることで、このプレートに対して、このボードの撓みを担持可能とする構成とし、
また、前記ビンディング取付け用の複数の孔に挿入される複数の螺筒を凸設した取付け冶具を、前記プレートの下側より取付け可能とする構成としたスノーボード。
【請求項２】
請求項１に記載のスノーボードであって、
前記プレートの一方を、前記ボードの先端端部の内側に枢支し、また、このプレートの他方を、前記ボードの後端端部の内側に移動可能に設ける構成としたスノーボード。
【請求項３】
請求項１に記載のスノーボードであって、
前記プレートの一方を、前記ボードに枢支する構造は、プレートに取付けたブラケットと、このブラケットを枢支するボードの上面に設けた一方の支持プレートとで構成したスノーボード。
【請求項４】
請求項１に記載のスノーボードであって、
前記プレートの他方を、前記ボードに移動可能に設ける構造は、プレートに取付けたブラケットと、このブラケットに横設したピンと、このピンが支持される、前記ボードの上面に設けた他方の支持プレートの長孔とで構成したスノーボード。
【請求項５】
請求項３に記載のスノーボードであって、
前記ブラケットは、前記プレートに取付けた取付板と、この取付板より垂下した垂下板とで構成したスノーボード。
【請求項６】
請求項４に記載のスノーボードであって、
前記他方の支持プレートは、ボードに取付ける底板と、この底板の両裾部より、それぞれ立設した前記ピンが挿入される長孔を備えた対の支持板とで構成したスノーボード。
【請求項７】
請求項３、又は請求項４に記載のスノーボードであって、
前記一方・他方の支持プレートは、ボードに取付ける底板が、平面視して略山形形状とし、この山形形状の偏倚した両裾部に、前記ブラケットを枢支、又はピンを支持する支持板とで構成としたスノーボード。
【発明の詳細な説明】
【技術分野】
【０００１】
本発明は、ボードを、滑走者の技術で、適宜、撓ませて、雪面の凹凸、ギャップ、傾斜等に対応可能としたスノーボードに関する。
【背景技術】
【０００２】
スノーボードのボートを撓ませることで、雪面の凹凸、ギャップ、傾斜等に対応可能とすること、又はその際の衝撃緩和を図ること、又はこの撓みを利用して、ジャンプ、滑降、テクニックの妙味、これら駆使し、軽快で希望する滑走を満喫できること、或いは競技での優勝等を目指すに有益であること、等の実益と特徴とが考えられる。
【０００３】
このような趣旨から、本出願人も、複数の権利を取得している。例えば、特許第４２６２２９５号の「スノーボード」がある。本発明は、この特許の構造をベースに、さらに新しい改良を付加することと、前記目的を初心者でも体感できるスノーボードを提供することにある。
【０００４】
その他、本発明と関連がある発明の一例を、以下、文献として説明する。
【０００５】
文献（１）は、特開２００１−７０４９６の「スキー用ビンディングプレート」であり、この発明は、スキー板の上に、ビンディング取付け用プレートを設ける構造であり、このスキー板の上に、このプレートの一方を枢着し、その他方を移動可能に設けたことを特徴とし、常時、プレートをフラットにした状態で、スキー板を撓ませることで、例えば、スキー板の撓みで、雪面の凹凸、ギャップ、傾斜等に対応可能すること、又はその際の衝撃緩和を図りつつ、スキー板の剛性向上と、損傷防止等を図ること、等を意図する。しかし、この文献（１）は、片足を載せるプレートと、片方のスキー板との撓みによる構造であり、両足をバランスに滑走するスキー板においては、返った違和感を覚えること、不要な構造であり、採用に躊躇すること、等が考えられる。また、構造的には、縦プレートのセンター（幅方向のセンター）で、プレートに設けたブラケットを枢支、又は移動可能に設ける構造であり、この縦プレート、及び／又は、スキー板に対する加重が直接掛かることで、この縦プレート、及び／又は、スキー板に対する衝撃が大きく、かつ故障の原因となること、また、剛性の向上が期待できないこと、等が考えられる。  
【０００６】
また、文献（２）は、特開２００５−１３５１８の「雪上滑走用具用湾曲調整具及び該湾曲調整具が付設された雪上滑走用具」であり、この発明は、スキー板（デッキ）に設けた対のビンディング間に、ターンバックルを配備し、このスキー板を撓み可能（湾曲部を伸縮可能）とする構造であり、この撓みを利用し、エッジで雪面をグリップし、鋭い回転動作を安定して、かつスムーズに行うことを意図する。しかし、この発明では、スキー板に必要以上の加重を掛けることとなり、スキー板に対する衝撃が大きく、かつ故障、耐久性の低下等の原因となること等が考えられる。
【０００７】
さらに、文献（３）は、実開平７−２２７８３号の「ビンディング取付座金」であり、この考案は、スキー板に設けた孔に挿入されるビンディング取付用の螺子が、螺合される複数の螺子筒を上面に備えた座金板であって、この座金板を利用したビンディング取付座金で、この螺子筒を、スキー板の孔に挿設するとともに、この螺子筒の螺口をスキー板の上面に露出し、かつその座金板をスキー板内に埋設する構造であり、この座金板を利用することで、スキー板に損傷を与えずに、ビンディング取付金具を装着可能とする。しかし、この座金板は、スキー板に埋設する構造であり、最初より取付ける構造であり、後付できないこと、スキー板に設けた複数の孔を選択して、螺子筒を挿入する構造でないので、ビンディングを自由な箇所に取付けることができず、汎用性に欠けることが考えられる。
【０００８】
【特許文献１】特開２００１−７０４９６
【特許文献２】特開２００５−１３５１８
【特許文献３】実開平７−２２７８３
【発明の概要】
【発明が解決しようとする課題】
【０００９】
以上で説明した文献（１）〜文献（３）は、それぞれ一長一短があり、例えば、スノーボードのボートを撓ませることで、雪面の凹凸、ギャップ、傾斜等に対応可能とすること、又はその際の衝撃緩和を図ること、又はこの撓みを利用して、ジャンプ、滑降、テクニックの妙味、これら駆使し、軽快で希望する滑走を満喫できること、或いは競技での優勝等を目指すに有益であること、等の実益と特徴とを図るには問題がある。
【００１０】
上記に鑑み、本発明は、下記のことを意図し、この意図を達成することにある。
（イ）  スノーボードのボートの撓みを、ボートとプレートとの間に設けた機構と、左右の脚の操作との連携を介して、確実かつスムーズに行うこと、
（ロ）  ボードを撓ませることで、雪面の凹凸、ギャップ、傾斜等に対応可能とすること、又はその際の衝撃緩和を図ること、又はこの撓みを利用して、ジャンプ、滑降、テクニックの妙味、これら駆使し、軽快で希望する滑走を満喫すること、又は競技での優勝等を目指すこと、
（ハ）  プレートに開設した複数個のビンディング取付け用の孔を選択し、この選択した孔に挿入できる螺筒を有する取付け冶具を、このボードの下側（裏側）より取付けできる構造を提案することで、ビンディングの取付け箇所を選択でき、各人の好みの脚の位置と、滑走姿勢を確保できること、
（ニ）  また、両脚で、ボードの撓み、及びプレートの傾斜を操作する構造であり、前記（イ）〜（ハ）の意図を達成するに最適な構造を提案すること、
（ホ）  一方・他方の支持プレートのセンターより端部（ボードの走行方向「前側」と逆側「後側」）に設けた支持板に、プレートのブラケットを枢支、又は移動可能に支持する構造として、この一方・他方の支持プレートに対する加重軽減化を図り、この一方・他方の支持プレートと、ボート、又はプレートの加重軽減化と、耐久性の確保とを図ること、
【課題を解決するための手段】
【００１１】
請求項１の発明は、前記（イ）〜（ニ）の意図を達成できる。
【００１２】
請求項１は、スノーボードのボードと、このボードの上面に架承され、かつビンディング取付け用の複数の孔を、前後側に備えたビンディング取付け用プレートと、このプレートの長手方向の前後側に設けたビンディングと、で構成したスノーボードであって、
前記プレートの一方を、前記ボードに枢支するとともに、その他方を、前記ボードに移動可能に支持する構造とすることで、このプレートに対して、このボードの撓みを担持可能とする構成とし、
また、前記ビンディング取付け用の複数の孔に挿入される複数の螺筒を凸設した取付け冶具を、前記プレートの下側より取付け可能とする構成としたスノーボードである。
【００１３】
請求項２〜６の発明は、前記（イ）〜（ホ）の意図を達成できる。
【００１４】
請求項２は、請求項１に記載のスノーボードであって、
前記プレートの一方を、前記ボードの先端端部の内側（使用態様で後端端部の内側もありえる。）に枢支し、また、このプレートの他方を、前記ボードの後端端部の内側（使用態様で先端端部の内側もありえる。）に移動可能に設ける構成としたスノーボードである。
【００１５】
請求項３は、請求項１に記載のスノーボードであって、
前記プレートの一方を、前記ボードに枢支する構造は、プレートに取付けたブラケットと、このブラケットを枢支するボードの上面に設けた一方の支持プレートとで構成したスノーボードである。
【００１６】
請求項４は、請求項１に記載のスノーボードであって、
前記プレートの他方を、前記ボードに移動可能に設ける構造は、プレートに取付けたブラケットと、このブラケットに横設したピンと、このピンが支持される、前記ボードの上面に設けた他方の支持プレートの長孔とで構成したスノーボードである。
【００１７】
請求項５は、請求項３に記載のスノーボードであって、
前記ブラケットは、前記プレートに取付けた取付板と、この取付板より垂下した垂下板とで構成したスノーボードである。
【００１８】
請求項６は、請求項４に記載のスノーボードであって、
前記他方の支持プレートは、ボードに取付ける底板と、この底板の両裾部より、それぞれ立設した前記ピンが挿入される長孔を備えた対の支持板とで構成したスノーボードである。
【００１９】
請求項７の発明は、前記（イ）〜（ニ）の意図を達成できる。
【００２０】
請求項７は、請求項３、又は請求項４に記載のスノーボードであって、
前記一方・他方の支持プレートは、ボードに取付ける底板が、平面視して略山形形状とし、この山形形状の偏倚した両裾部に、前記ブラケットを枢支、又はピンを支持する支持板とで構成としたスノーボードである。
【発明の効果】
【００２１】
請求項１の発明は、スノーボードのボードと、このボードの上面に架承され、かつビンディング取付け用の複数の孔を、前後側に備えたビンディング取付け用プレートと、プレートの長手方向の前後側に設けたビンディングと、で構成したスノーボードであって、
プレートの一方を、ボードに枢支するとともに、他方を、ボードに移動可能に支持する構造とすることで、プレートに対して、ボードの撓みを担持可能とする構成とし、
また、ビンディング取付け用の複数の孔に挿入される複数の螺筒を凸設した取付け冶具を、プレートの下側より取付け可能とする構成としたスノーボードである。
【００２２】
従って、請求項１は、下記の特徴がある。
（イ）  スノーボードのボートの撓みを、ボートとプレートとの間に設けた機構と、左右の脚の操作との連携を介して、確実かつスムーズに行える。
（ロ）  ボードを撓ませることで、雪面の凹凸、ギャップ、傾斜等に対応可能とすること、又はその際の衝撃緩和を図ること、又はこの撓みを利用して、ジャンプ、滑降、テクニックの妙味、これら駆使し、軽快で希望する滑走を満喫すること、又は競技での優勝等を目指し得る。
（ハ）  プレートに開設した複数個のビンディング取付け用の孔を選択し、この選択した孔に挿入できる螺筒を有する取付け冶具を、このボードの下側（裏側）より取付けできる構造を提案することで、ビンディングの取付け箇所を選択でき、各人の好みの脚の位置と、滑走姿勢を確保できる。
（ニ）  また、両脚で、ボードの撓み、及びプレートの傾斜を操作する構造であり、前記（イ）〜（ハ）の意図を達成するに最適な構造を提案できる。
【００２３】
請求項２の発明は、請求項１に記載のスノーボードであって、
プレートの一方を、前記ボードの先端端部の内側に枢支し、また、プレートの他方を、ボードの後端端部の内側に移動可能に設ける構成としたスノーボードである。
【００２４】
請求項３の発明は、請求項１に記載のスノーボードであって、
プレートの一方を、ボードに枢支する構造は、プレートに取付けたブラケットと、ブラケットを枢支するボードの上面に設けた一方の支持プレートとで構成したスノーボードである。
【００２５】
請求項４の発明は、請求項１に記載のスノーボードであって、
プレートの他方を、ボードに移動可能に設ける構造は、プレートに取付けたブラケットと、このブラケットに横設したピンと、ピンが支持される、ボードの上面に設けた他方の支持プレートの長孔とで構成したスノーボードである。
【００２６】
請求項５の発明は、請求項３に記載のスノーボードであって、
ブラケットは、プレートに取付けた取付板と、取付板より垂下した垂下板とで構成したスノーボードである。
【００２７】
請求項６の発明は、請求項４に記載のスノーボードであって、
他方の支持プレートは、ボードに取付ける底板と、底板の両裾部より、それぞれ立設したピンが挿入される長孔を備えた対の支持板とで構成したスノーボードである。
【００２８】
従って、請求項２〜６は、前記（イ）〜（ニ）の他に（ホ）の特徴がある。
（ホ）  一方・他方の支持プレートのセンターより端部（ボードの走行方向「前側」と逆側「後側」）に設けた支持板に、プレートのブラケットを枢支、又は移動可能に支持する構造として、この一方・他方の支持プレートに対する加重軽減化と、この一方・他方の支持プレートと、ボート、又はプレートの加重軽減化と、耐久性の確保とが図れる、
請求項７の発明は、請求項３、又は請求項４に記載のスノーボードであって、
一方・他方の支持プレートは、ボードに取付ける底板が、平面視して略山形形状とし、山形形状の偏倚した両裾部に、ブラケットを枢支、又はピンを支持する支持板とで構成としたスノーボードである。
【００２９】
従って、請求項７は、前記（イ）〜（ニ）の特徴がある。
【図面の簡単な説明】
【００３０】
【図１】スノーボードの滑走状態を示した模式図
【図２】スノーボードの全体を示した俯瞰図
【図３】スノーボードからビンディングを除いた概要を示した俯瞰図とその部分拡大図
【図４−１】スノーボードの全体を示した平面図
【図４−２】スノーボードの全体を示した側面図
【図５】スノーボードの各部品を分解して示した斜視図
【図６】スノーボードの（イ）一方の支持プレート及びブラケットと、（ロ）他方の支持プレート及びブラケットを示した拡大斜視図
【図７】ビンディングを取付ける取付け冶具の拡大俯瞰図
【図８】スノーボードからボードを除いた全体を示した仰視図とその部分拡大図
【図９−１】スノーボードが上方に撓んだ状態の全体を示した側面図
【図９−２】スノーボードがフラットな状態の全体を示した側面図
【図９−３】スノーボードが下方に撓んだ状態の全体を示した側面図
【発明を実施するための形態】
【００３１】
以下、本発明の好ましい、一例を説明する。
【００３２】
図中１はスノーボードのボード（スノーボード本体）で、その長手方向Ｘ（滑走方向）の両端部１ａ、１ｂは、上面１ｃ（表面）に向って反り上がっている。また、１ｄはボード１の下面（裏面）を示す。また、Ｙはボード１の短手方向（幅方向）を示す。そして、ボード１の上面１ｃには、後述する一方・他方の支持プレート５、６を取付けための螺孔２、３（孔）が間隔を置いて設ける。
【００３３】
図中５は一方の支持プレート、また、６は他方の支持プレートであり、この一方の支持プレート５は、ボード１の先端側の螺孔２に止め具２００で取付けられ、また、他方の支持プレート６は、ボード１の後端側の螺孔３に止め具３００で取付けられる。そして、この一方の支持プレート５は、平面視して略山形形状とした底板５００（支持プレート本体）と、この底板５００の山形形状の偏倚した両裾部５００ａ、５００ａに支持板５０１、５０１を立設する。また、この他方の支持プレート６は、平面視して略山形形状とした底板６００（支持プレート本体）と、この底板６００の山形形状の偏倚した両裾部６００ａ、６００ａに支持板６０１、６０１を立設する。この一方の支持プレート５の底板５００は、支持板５０１に対して、後側Ｘ２方向に位置し、また、他方の支持プレート６の底板６００は、支持板６０１に対して、前側Ｘ１方向に位置した構成が望ましい。即ち、後述するプレートに掛かる加重を、一方・他方の支持プレート５、６の偏倚した両裾部６００ａ、６００ａを介して、ボード１に緩衝・時間差で伝達可能とすることで、例えば、ボード１への衝撃緩和を図ること、又はボード１から一方・他方の支持プレート５、６への衝撃緩和等に有効と考えられる。
【００３４】
この一方の支持プレート５の支持板５０１には、後述するプレート１２に取付けた取付板７００と、この取付板７００より垂下した垂下板７０１とで構成した一方のブラケット７（ブラケット７）が枢支される。この支持板５０１には、複数個の孔５０２が開設されており、この孔５０２に挿設した軸８で、ブラケット７を枢支する。従って、この一方のブラケット７は、支持板５０１に設けた軸８を支点として可動する。また、この他方の支持プレート６の支持板６０１には、後述するプレート１２に取付けた取付板１０００と、この取付板１０００より垂下した垂下板１００１とで構成した他方のブラケット１０（ブラケット１０）が枢支される。この支持板６０１には、長孔６０２が開設されており、この長孔６０２に挿設したピン１１で、ブラケット１０を枢支するとともに、このブラケット１０は、支持板６０１に設けた長孔６０２に沿って、長手方向Ｘに向って前後動（移動）する。この長孔６０２に沿って、ピン１１が移動することで、プレート１２をフラットの状態で、ボード１の撓みを可能とすることと、この撓み時のブラケット１０（プレート１２）と一方の支持プレート７（ボード１）との緩衝を図るために、この一方の支持プレート５、及び／又は、ブラケット７とは枢支関係となる。尚、この一方・他方の支持プレート５、６には、軽量化を意図して、多数の孔を開設する。また、ブラケット７、１０は、一体構造とすることもできる。
【００３５】
前記ビンディング取付け用プレート１２（プレート１２）は、ボード１に取付けた一方・他方の支持プレート５、６に枢支、又は移動可能に設けたブラケット７、１０の螺孔７０２、１００２に、止め具１２００、１２０１を挿入して固止される。従って、このプレート１２は、ボード１が撓んだ場合でもフラットの状態となる。その理由は、ボード１が撓んだ場合には、この撓みを、ブラケット１０に設けたピン１１が、他方の支持プレート６の長孔６０２を移動することと、ブラケット７が、一方の支持プレート５に設けた軸８を支点として可動する。このブラケット１０が移動し、また、ブラケット７が所定の位置で可動することで、前記ボード１の撓みを容認し、また、プレート１２のフラットの状態を維持可能とする。即ち、滑走者の脚に対する衝撃緩和と、脚の位置の確保、並びに危険防止等に有効である。尚、プレート１２に対する脚の動きは、ブラケット７、１０を介して、一方・他方の支持プレート５、６を経由し、ボード１の所定箇所に伝達される。この図示の配置例では、一方・他方の支持プレート５、６とブラケット７、１０の関係は、前側Ｘ１と後側Ｘ２とて説明したが、逆の配置例もあり得る（その他の構造、又は部材等も同様である）。
【００３６】
また、プレート１２には、ビンディング１５、１５を取付けるための複数の孔１６、１７を、前側Ｘ１と後側Ｘ２（両端部）にそれぞれ設ける。従って、このビンディング１５、１５は、止め具２０、２１を、後述する取付け冶具２３、２３の螺筒に螺入することで、プレート１２に固定する（従来の如く、プレート１２の螺孔への螺入、又は打込み等の構造による固定も可能である）。また、プレート１２には、前記ブラケット７、１０を取付けるための複数の孔１８、１９を、前側Ｘ１と後側Ｘ２にそれぞれ設ける。この孔１８、１９に挿入される止め具１２００、１２０１を前記螺孔７０２、１００２に螺入することで、このプレート１２をブラケット７、１０に固止する。
【００３７】
２３は取付け冶具で、この取付け冶具２３は、底板２３００と、この底板２３００に立設した複数の螺筒２３０１とで構成されており、プレート１２の下側（下面）に当接、又は陥没等して設けるとともに、この螺筒２３０１を、プレート１２の孔１６、１７に挿入する。この螺筒２３０１には、止め具２０、２１を螺入する構造とする。この止め具２０、２１の螺入で、ビンディング１５、１５を、プレート１２の前後側Ｘ１、Ｘ２に固定する。そして、この構造では、プレート１２の孔１６、１７にナット、螺筒等部材を挿設する必要がなく、低コストと、軽量化、又は作業の簡便化等に寄与できること、等の特徴がある。また、この構造では、孔１６、１７の適所に、螺筒２３０１を、それぞれ挿入し、止め具２０、２１を螺入することで、この取付け冶具２３と、ビンディング１５を、適所に取付け、取外し、かつ位置変更ができるので、重宝することと、又はビンディング１５の位置の変更を自由に行えること、等の有益性がある。
【００３８】
そして、図９−１〜図９−３は、ボード１が色々に変化した状態の一例であり、例えば、図９−１は、ボード１が上方に撓んだ状態の全体を示した側面図であって、他方の支持プレート６の長孔６０２のピン１１が、この長孔６０２の、図面で、向って左側（ボード１の後側Ｘ２）にあり、かつ一方の支持プレート５が軸８を支点として、上方に可動した状態により、ボード１が上方に撓んだと考えられる。また、図９−２は、ボード１がフラットな状態の全体を示した側面図であって、他方の支持プレート６の長孔６０２にあるピン１１が、この長孔６０２の略センターにあり、かつ一方の支持プレート５は、軸８を支点として、フラットな状態となっていると考えられる。さらに、図９−３は、ボード１が下方に撓んだ状態の全体を示した側面図であって、他方の支持プレート６の長孔６０２のピン１１が、この長孔６０２の、図面で、向って右側にあり、かつ一方の支持プレート５が軸８を支点として、下方に可動した状態により、ボード１が下方に撓んだと考えられる。以上の如く、一方の支持プレート５の可動し、他方の支持プレート６の移動とで、ボード１の略全ての撓みに順応可能とする構造である。
【００３９】
続いて、スノーボードの滑降の一例を説明すると、図１の如く、対のビンディング１５に両脚を固定し、脚と体を利用し、かつゲレンデの傾斜と凹凸等の状況に対応して滑降するが、その際に、軸脚で、可撓性のプレート１２を押圧しながら、一方の支持プレート５に枢支したブラケット７を可動し、この一方の支持プレート５を操作する。また、他方の操作脚（司令側の脚）で、可撓性のプレート１２を押圧しながら、他方の支持プレート６を移動可能とする。そして、それぞれの脚に対する押圧と、押圧解除を繰返し、前記一方の支持プレート５の可動と、他方の支持プレート６の移動とを調整しながら、このゲレンデの傾斜と凹凸等の状況に対応して滑降するか、又はボート１の操作を利用して、フレキシブルな滑降と、又はシプール、その他、パンピング、ジャンプ、ターン等を楽しむことができる。
【符号の説明】
【００４０】
１              ボード
１ａ            端部
１ｂ            端部
１ｃ            上面
１ｄ            下面
２              螺孔
２００          止め具
３              螺孔
３００          止め具
５              一方の支持プレート
５００          底板
５００ａ        裾部
５０１          支持板
５０２          孔
６              他方の支持プレート
６００          底板
６００ａ        裾部
６０１          支持板
６０２          長孔
７              一方のブラケット（ブラケット）
７００          取付板
７０１          垂下板
７０２          螺孔
８              軸
１０            他方のブラケット（ブラケット）
１０００        取付板
１００１        垂下板
１００２        螺孔
１１            ピン
１２            プレート
１２００        止め具
１２０１        止め具
１５            ビンディング
１６〜１９      孔
２０            止め具
２１            止め具
２３            取付け冶具
２３００        底板
２３０１        螺筒
Ｘ              長手方向
Ｘ１            前側
Ｘ２            後側
Ｙ              短手方向
【図１】
0005508307.tif 000002
【図２】
0005508307.tif 000003
【図３】
0005508307.tif 000004
【図４−１】
0005508307.tif 000005
【図４−２】
0005508307.tif 000006
【図５】
0005508307.tif 000007
【図６】
0005508307.tif 000008
【図７】
0005508307.tif 000009
【図８】
0005508307.tif 000010
【図９−１】
0005508307.tif 000011
【図９−２】
0005508307.tif 000012
【図９−３】
0005508307.tif 000013